(57)【要約】  【課題】汚れ具合に応じてシートの使用量を任意に調整可能としたトイレ掃除用シートを提供する。                                                  【解決手段】洗浄液を含浸させた水解性繊維シート１を所定幅でロール状に巻き取った製品形態とするとともに、長手方向に所定間隔で横断方向にミシン目１ａ、１ａ…を形成する。前記ロール状に巻き取られたトイレ掃除用シート１は、幅寸法が５０〜２００mm、前記ミシン目１ａ、１ａ…の間隔を１０〜２００mmとし、前記ロール状に巻き取られたトイレ掃除用シート１は、開閉蓋４Ａを備えた容器４内に回転自在に軸支された状態で収容される。【選択図】図４
2006271647.tif 000002
【特許請求の範囲】
【請求項１】
洗浄液を含浸させた水解性繊維シートを所定幅でロール状に巻き取った製品形態とするとともに、長手方向に所定間隔で横断方向にミシン目を形成したことを特徴とするトイレ掃除用シート。
【請求項２】
前記ロール状に巻き取られたトイレ掃除用シートは、幅寸法が５０〜２００mm、前記ミシン目の間隔を１０〜２００mmとしてある請求項１記載のトイレ掃除用シート。
【請求項３】
前記ロール状に巻き取られたトイレ掃除用シートは、開閉蓋を備えた容器内に収容されている請求項１、２いずれかに記載のトイレ掃除用シート。
【請求項４】
前記ロール状に巻き取られたトイレ掃除用シートは、開閉蓋を備えた容器内に回転自在に軸支された状態で収容されている請求項１、２いずれかに記載のトイレ掃除用シート。
【請求項５】
前記ロール状に巻き取られたトイレ掃除用シートは、芯無しとされ、開閉蓋を備えた容器内に縦向きの状態で収容されるとともに、ロールシートの中空部側からシートを引き出し可能としてある請求項１、２いずれかに記載のトイレ掃除用シート。
【発明の詳細な説明】
【技術分野】
【０００１】
本発明は、汚れ具合に応じてシートの使用量を任意に調整可能としたトイレ掃除用シートに関する。
【背景技術】
【０００２】
近年、トイレの清掃には、雑巾に代わって使い捨ての繊維シートを使用することが多くなっている。中でも、下記特許文献１〜４に示されるような、水解性繊維シートに洗浄液を含浸させたものは使用後にトイレにそのまま廃棄することができるため好まれて使用されている。
【０００３】
現在、市場に提供されているトイレ掃除用シートは、例えば下記特許文献１に示されるように、四つ折りまたは八つ折りにした状態で容器内に積層された状態で収容され、使用に当たっては、一枚づつ取出して使用される。
【特許文献１】特開２００４−３２９３８２号公報
【特許文献２】特開２００４−３１３４８６号公報
【特許文献３】特開２００２−２３８８２２号公報
【特許文献４】特開２００４−１８８０９１号公報
【発明の開示】
【発明が解決しようとする課題】
【０００４】
しかしながら、重畳状態で提供されている前記トイレ掃除用シートの場合は、汚れ具合に応じてシート使用量を調整する場合、多いときは複数枚のシートを取り出して使用し、少なくて済む場合には、特許文献１に記載されるように、予めシートにミシン目を形成しておき、使用者がミシン目位置で引き裂いて所望の必要量だけを使用するようにしており、汚れ具合に応じて使用量を調整することが比較的煩わしいものであった。
【０００５】
そこで本発明の主たる課題は、汚れ具合に応じてシートの使用量を任意に調整可能としたトイレ掃除用シートを提供することにある。
【課題を解決するための手段】
【０００６】
前記課題を解決するために請求項１に係る本発明として、洗浄液を含浸させた水解性繊維シートを所定幅でロール状に巻き取った製品形態とするとともに、長手方向に所定間隔で横断方向にミシン目を形成したことを特徴とするトイレ掃除用シートが提供される。
【０００７】
上記請求項１記載の本発明では、洗浄液を含浸させた水解性繊維シートを所定幅でロール状に巻き取った製品形態とし、長手方向に所定間隔で横断方向にミシン目を形成した。従って、丁度、トイレットペーパーの如く、使用者が汚れ具合に応じて必要量だけ引き出し、ミシン目で切断して使用することができるようになる。
【０００８】
請求項２に係る本発明として、前記ロール状に巻き取られたトイレ掃除用シートは、幅寸法が５０〜２００mm、前記ミシン目の間隔を１０〜２００mmとしてある請求項１記載のトイレ掃除用シートが提供される。
【０００９】
上記請求項２記載の本発明においては、前記ロール状に巻き取られたトイレ掃除用シートの幅寸法を５０〜２００mm、前記ミシン目の間隔を１０〜２００mmに限定するものである。上記幅寸法及びミシン目間隔とすることにより、汚れ具合の多少に応じた範囲で、シート使用量を適切なものに調整することができる。
【００１０】
請求項３に係る本発明として、前記ロール状に巻き取られたトイレ掃除用シートは、開閉蓋を備えた容器内に収容されている請求項１、２いずれかに記載のトイレ掃除用シートが提供される。
【００１１】
上記請求項３記載の本発明では、ロール状に巻き取られたトイレ掃除用シートを、開閉蓋を備えた容器内に収容するものである。開閉蓋を備えた容器内に収容することで、保管時は前記洗浄液の蒸発を防止でき、かつロール状トイレ掃除用シートを回転させながら使用長さ分だけ取出すことができる。
【００１２】
請求項４に係る本発明として、前記ロール状に巻き取られたトイレ掃除用シートは、開閉蓋を備えた容器内に回転自在に軸支された状態で収容されている請求項１、２いずれかに記載のトイレ掃除用シートが提供される。
【００１３】
上記請求項４記載の本発明では、ロール状に巻き取られたトイレ掃除用シートを、開閉蓋を備えた容器内に回転自在に軸支された状態で収容するものである。洗浄液を含浸させたトイレ掃除用シートがトイレットペーパーと比べると、非常に重量があるため簡単に引き出すことができない。従って、回転自在に軸支された状態で収容することにより、ミシン目位置で切断されることなく、所望長さだけ容易に引出しできるようになる。
【００１４】
請求項５に係る本発明として、前記ロール状に巻き取られたトイレ掃除用シートは、芯無しとされ、開閉蓋を備えた容器内に縦向きの状態で収容されるとともに、ロールシートの中空部側からシートを引き出し可能としてある請求項１、２いずれかに記載のトイレ掃除用シートが提供される。
【００１５】
上記請求項５記載の本発明では、ロール状に巻き取られたトイレ掃除用シートは、芯無しとされ、開閉蓋を備えた容器内に縦向きの状態で収容されるとともに、ロールシートの中空部側からシートを引き出し可能とするものである。縦置きとすることにより場所を取らず、棚などに設置することができる。
【発明の効果】
【００１６】
以上詳説のとおり本発明によれば、汚れ具合に応じてシートの使用量を任意に調整しながら使用することができるようになる。
【発明を実施するための最良の形態】
【００１７】
以下、本発明の実施の形態について図面を参照しながら詳述する。
【００１８】
図１は本発明に係るロール状トイレ掃除用シート１の斜視図であり、図２は水解性シートの構成例を示す横断面図である。
【００１９】
〔水解性繊維シートの構造例〕
トイレ掃除用シート１のシート素材は、繊維とバインダ等からなる紙または不織布である。繊維としては、木材パルプ、非木材パルプ、レーヨン、コットン等のセルロース系繊維、ポリ乳酸等からなる生分解性繊維等を挙げることができる。また、これらの繊維を主体としてポリエチレン繊維、ポリプロピレン繊維、ポリビニールアルコール繊維、ポリエステル繊維、ポリアクリニトリル繊維、合成パルプ、ガラスウール等を併用することができる。また、トイレを掃除した後、そのままトイレ内に廃棄できるように水解性であることが望ましい。
【００２０】
前記トイレ掃除用シート１は、例えば、図２に示されるように、内層シート３の両面に、外層シート２，２を積層し、圧着により一体化するとともに、これら各シート２，３に洗浄液を含浸させたものとすることができる。
【００２１】
前記内層シート３は、木材パルプを主体とした水解性の繊維シートとし、叩解パルプ、未叩解パルプのいずれでもよいが、好ましくは未叩解パルプとするのがよい。原料となるパルプが未叩解であると水解性に優れる。また、原料となるパルプは、特にその種類を限定するものではないが、ＮＢＫＰとＬＢＫＰとを、その重量比が９５：５〜５０：５０となるように使用するのが好ましい。さらに、バインダーを実質的に含有させないようにするのが望ましい。バインダーが０．２％以下であれば水解性を阻害しない。
【００２２】
前記外層シート２，２は、叩解パルプ、未叩解パルプのいずれでもよいが、好ましくは叩解パルプである。外層シート２，２にはバインダーとして、ポリビニルアルコール、カルボキシルメチルセルロース（ＣＭＣ）又はその塩などの水溶性バインダ、デンプンまたはその誘導体、アルギン酸ナトリウムなどが含有される。また、架橋剤がバインダの種類に応じて適宜のものが使用される。例えば、バインダとしてポリビニルアルコールを使用した場合は架橋剤としてホウ酸を用いることが望ましい。また、カルボキシルメチルセルロース（ＣＭＣ）を用いる場合には、多価金属イオンを用いることが望ましい。
【００２３】
また、外層シート２，２の形成に叩解パルプを使用すると、強度及び柔軟性に優れるようになる。原料となる叩解パルプは、特にその種類を限定するものではないが、ＮＢＫＰとＬＢＫＰとを、その重量比が６：４〜１０：０となるように使用するのが好ましい。ＮＢＫＰはＬＢＫＰに比べ強度及び柔軟性に優れるので、ＮＢＫＰを多く使用すると強度及び柔軟性が向上する。また、外層シート２，２には、叩解パルプとともに、ポリビニルアルコール等のバインダを使用するので、廃棄時（水解時）においては、叩解パルプがバラケ易くなり、水解性が向上する。
【００２４】
前記内層シート３及び外層シート２，２に含浸させる洗浄液としては、水を媒体とし、界面活性剤、水溶性溶剤、除菌剤等を含有することが望ましい。なお、その他に、消臭剤、防腐剤等の補助剤を適宜含有させることもできる。
【００２５】
前記界面活性剤としては、例えば陰イオン界面活性剤、非イオン界面活性剤、陽イオン界面活性剤及び両性界面活性剤のいずれでも用いることができる。
【００２６】
前記水溶性溶剤としては、例えば、エタノール、メタノール、プロパノール、ブタノール、グリセリン、ソルビトール等のアルコール類、エチレングリコール、ジエチレングリコール、ポリエチレングリコール、プロピレングリコール、ジプロピレングリコール、ブチレングリコール、ヘキシレングリコール等のグリコール類等から１種または数種を適宜選択して使用することができる。
【００２７】
前記洗浄液には、前記の成分に加えて除菌剤を含有させることもできる。除菌剤としては、過酸化水素、次亜塩素酸、次亜塩素酸ナトリウム、第４級アンモニウム塩、安息香酸ナトリウム及びパラオキシ安息香酸ナトリウム、並びにポリリジン等が好ましく用いられる。
【００２８】
以上の要領によって、水解性を示すトイレ掃除用シート１を製造することができるが、本発明では、図１に示されるように、洗浄液を含浸させた前記水解性繊維シート１を所定幅でロール状に巻き取った製品形態にするとともに、長手方向に所定間隔で横断方向にミシン目１ａ、１ａ…を形成するようにしている。なお、図１のロール形態では、巻芯５を有するものとなっている。
【００２９】
前記ロール状トイレ掃除用シート１は、幅寸法が５０〜２００mm、前記ミシン目の間隔を１０〜２００mmとするのが望ましい。上記幅寸法及びミシン目間隔とすることにより、汚れ具合の多少に応じた範囲で、シート使用量を適切なものに調整することができる。
【００３０】
前記水解性シート１をロール状に形成する方法としては、図３に示されるように、外径が拡縮自在とされる金属製巻軸１０で巻芯５を支持し、２本の平行なロール１１，１１の中間上部に配設するとともに、シート１を巻芯５に供給しながらロール１１，１１を夫々所定方向に回転させることにより、巻芯５の外周に水解性シート１を巻き付けるようにする。
【００３１】
ロール状に巻き取られた前記トイレ掃除用シート１は、例えば図４に示されるように、容器本体４Ｂの上面に開閉蓋４Ａを備えた容器４内に、支軸８により前記ロール状トイレ掃除用シート１が回転自在に軸支された状態で収容される。なお、裏蓋６は取り外し可能とされ、詰め替え用ロール状トイレ掃除用シート１を入れ替えできるようになっている。また、シート取出口としてスリット状に形成された開口の上面には、揺動可能な押圧板７が配設され、引き出したシート１をミシン目１ａ位置で切断する際、残りのシートが引き出されないように、シート１を押さえ付けできるようになっている。
【００３２】
前記シート取出口からシート１を引き出す際に、シート１の先端部にはツマミ代となる部分があると、指で摘んでシートを簡単に引出しできるようになる。しかし、シート１の先端部分が取出口からはみ出し過ぎると、洗浄液の蒸発によってはみ出し部分が使用出来なくなったりするため、ツマミ代となるはみ出し部分はごく僅かとすることが望ましい。
【００３３】
そこで、図５(A)に示されるように、ミシン目１ａの中間、好ましくは中央部に膨出部１ｂを形成しツマミ代としたり、図５(B)に示されるように、ミシン目１ａの平面形状を引出し側に向かって膨出する円弧形状とし、先端弧状部分１ｂをツマミ代としたり、或いは図５(C)に示されるように、ミシン目１ａを幅方向に傾斜する斜線として形成し、先端の三角形部分１ｂをツマミ代とすることができる。
【００３４】
また、前記ロール状トイレ掃除用シート１は、例えば図６に示されるように、巻芯５を有しないロール形状とされ、容器本体９Ｂの上面に開閉蓋９Ａを備えた容器９内に縦向きの状態で収容されるとともに、ロール状トイレ掃除用シート１の中空部側から順次シート１を引き出しできるようにすることもできる。
【００３５】
ところで、前記トイレ掃除用シート１に対しては、適宜形状及び大きさのエンボスを付与できる。エンボス加工により、繊維シート同士の貼合及びシートの嵩高さ、柔軟性を得ることができる。積層体の坪量は、６０〜１２０g/m２、特に８０〜１００g/m２であるのが望ましい。ここで、積層体の坪量を９０g/m２と固定した場合を基準とすると、内層シート３の坪量は、２０〜４５g/m２（特に２５〜３５g/m２）、外層シート２，２の坪量は、２０〜４５g/m２（特に２５〜３５g/m２）であるのが望ましい。
【図面の簡単な説明】
【００３６】
【図１】本発明に係るロール状トイレ掃除用シート１の斜視図である。
【図２】水解性シートの構成例を示す横断面図である。
【図３】ロール状への巻取り要領を示す図である。
【図４】容器４への収容状態及びシート取出し要領を示す斜視図（その１）である。
【図５】ミシン目１ａの他の形成態様を示す図である。
【図６】容器９への収容状態及びシート取出し要領を示す斜視図（その２）である。
【符号の説明】
【００３７】
１…（ロール状）トイレ掃除用シート、２…外層シート、３…内層シート、４・９…容器、５…巻芯
【図１】
2006271647.tif 000003
【図２】
2006271647.tif 000004
【図３】
2006271647.tif 000005
【図４】
2006271647.tif 000006
【図５】
2006271647.tif 000007
【図６】
2006271647.tif 000008